(57)【特許請求の範囲】
【請求項１】
ファクシミリ受信した画像データに対する印字、転送などの特定のジョブ処理に必要な基本設定項目を、発信元情報に対応させて、予め登録設定できるようにしたプログラムキーを備えており、
このプログラムキーには、発信元情報に対して実行すべき印字、転送などのジョブ処理を、少なくとも、機能設定、実行条件とに分けて登録できるようにし、
ファクシミリ受信を受けたときに、印字または転送処理の機能のみが設定されているときには、そのプログラムキーに対して、それぞれ、手動印字、手動転送のフラグをセットし、手動印字部数または転送先番号の入力を要求するチェックメッセージを出力し、
再度そのプログラムキーが操作されたときには、手動印字または手動転送のフラグがセットされていれば、手動印字部数または転送先番号の入力を受けつけて、印字または転送処理をなすことを特徴とするファクシミリ装置。
【請求項２】
請求項１において、
上記プログラムキーには、発信元情報に対応させて、更に、サブアドレスとパスワードとを登録設定できるようにしているファクシミリ装置。
【発明の詳細な説明】
【０００１】
【発明の属する技術分野】
本発明は、電話交換機や相手先のファクシミリ装置などから送出されてくる発信元情報を有効に利用して、特定の発信元からファクシミリ受信した場合に、特定のジョブ処理を指定実行することができる、新規な機能を備えたファクシミリ装置に関する。
【０００２】
【従来の技術】
近時、オフィスなどにおいて、原稿の画像データを送受信するためにファクシミリ装置が広く使用されており、もはや必需品となっている。
このようなファクシミリ装置では、画像データの送受信を行う前に、送信側と受信側との間で、所定の送信前手順を実行しており、送信前手順を実行している間には、画像データの送受信のために必要な情報が互いに送受信されている。
【０００３】
このような送信前手順では、発信元情報が送信側から受信側に送出されているが、発信元情報には、例えば、発信元の名称、発信元のファクシミリ番号、サブアドレスがあり、これらはそれぞれ、ＮＳＳ（非標準機能設定信号）、ＴＳＩ（送信端末識別信号）、ＳＵＢ（サブアドレス信号）に格納されて送出される。
受信側では、これらの通信手順信号から発信元情報を判別しており、ＮＳＳ（非標準機能設定信号）、ＴＳＩ（送信端末識別信号）のそれぞれから、発信元の名称、発信元のファクシミリ番号を判別して、続いて受信する画像データを印字出力するときに、発信元の名称、発信元のファクシミリ番号を記録紙の所定位置に記録するようにしている。
【０００４】
また、受信側に受信ボックスがある場合には、ＳＵＢ（サブアドレス信号）が使用されているが、このサブアドレスを受信すれば、親展受信を実行して、続いて受信する画像データを指定された受信ボックスへ格納する。
更に、発信元情報として、電話交換機からコーラーＩＤと呼ばれる信号が送出される場合もあり、これを受信側で解析し、発信者識別番号を表示し、ユーザー側で確認できるようになっている。
【０００５】
【発明が解決しようとする課題】
しかしながら、この従来のファクシミリ装置では、電話交換機や送信側から送出されてくる発信元情報を受信しても、受信した発信元情報を記録、あるいは表示したり、親展受信を実行して、受信した画像データを指定された受信ボックスに格納するのみであり、発信元情報を十分に有効利用しているとはいえなかった。
【０００６】
本発明は、上記事情に鑑みて提案されるものであり、マクロキー機能として、電話交換機や相手先のファクシミリ装置などから送出されてくる発信元情報を有効に利用して、特定のジョブ処理を予め指定実行することができるファクシミリ装置を提供することを目的としている。
【０００７】
【課題を解決するための手段】
上記目的を達成するために、請求項１に記載のファクシミリ装置では、ファクシミリ受信した画像データに対する印字、転送などの特定のジョブ処理に必要な基本設定項目を、発信元情報に対応させて、予め登録設定できるようにしたプログラムキー（マクロキー）を備えている。
【０００８】
ここに、プログラムキーは、装置本体に複数個設けられており、本発明では、１つのプログラムキーに対して、発信元情報と、それに対応する特定のジョブ処理に必要な基本設定項目とを組み合わせて登録設定できるようにしている。
このファクシミリ装置では、着呼があったときには、交換器や相手先のファクシミリ装置などから送出されてくる発信元情報を受信した後、プログラムキーに登録設定されている発信元情報を順次検索して、一致しているものがあるかどうかを判別し、一致しているものがあれば、その発信元情報に対応して登録設定されたジョブ処理の実行の有無を判別して、その発信元情報に対応してジョブ処理が登録設定されていれば、ジョブ処理を実行する基本動作をなす。
【０００９】
また、プログラムキーには、発信元情報に対して実行すべき印字、転送などのジョブ処理を、少なくとも、機能設定、実行条件とに分けて登録できるようにし、ファクシミリ受信を受けたときに、印字または転送処理の機能のみが設定されているときには、そのプログラムキーに対して、それぞれ、手動印字、手動転送のフラグをセットし、手動印字部数または転送先番号の入力を要求するチェックメッセージを出力し、再度そのプログラムキーが操作されたときには、手動印字または手動転送のフラグがセットされていれば、手動印字部数または転送先番号の入力を受けつけて、印字または転送処理をなす。
【００１０】
ここに、機能設定とは、ジョブ処理実行の設定の有無を意味する一方、実行条件とは、例えば、印字部数、転送先ＦＡＸ番号など、登録設定されたジョブ処理を実行するための必要な具体的な設定項目を意味する。
請求項２に記載のファクシミリ装置では、プログラムキーには、発信元情報に対応させて、更に、サブアドレスとパスワードとを登録設定できるようにしている。
【００１１】
ここに、サブアドレスとパスワードは、それぞれサブアドレス信号（ＳＵＢ）とパスワード信号（ＳＩＤ）に格納されて送出され、ファクシミリ装置では、サブアドレスとパスワードとを受信すれば、プログラムキーに予め登録設定されているサブアドレスとパスワードとを順次検索して、一致しているものがあるかどうかを判別し、一致しているものがあれば、ファクシミリ装置は、予めプログラムキーに登録設定されたジョブ処理を実行する基本動作をなす。
【００１２】
【発明の実施の形態】
以下に、本発明のファクシミリ装置について、図面を用いて説明する。
図１は、本発明のファクシミリ装置Ｆの構成の一例を示したブロック図である。
このファクシミリ装置Ｆは、ＣＰＵ等で構成され、以下の各部を制御する主制御部１，電話回線Ｌにダイヤル信号を送出したり、電話回線Ｌに対する接続制御を行うＮＣＵ２，ファクシミリ通信を行うために信号の変調と復調を行うモデム３，画像データを格納する画像メモリ４，発呼ダイヤル番号などを記憶するＲＡＭ５，このファクシミリ装置Ｆの動作に必要な各種プログラムを記憶したＲＯＭ６，液晶画面やＬＥＤランプなどで構成された表示部７，各種キーなどで操作手段を構成し、複数のプログラムキー８０，８０，・・・を備えた操作部８，スキャナーにセットされた原稿から画像データを読み取る読取部９，読取部９で読み取った画像データや受信した画像データを、予めセットされた記録紙に印字出力する印字出力部１０，画像データを１ライン毎に符号化、あるいは復号化する符号化／復号化部１１，パーソナルコンピュータを接続して、画像メモリ４に格納した画像データをアップロードするための外部Ｉ／Ｆ１２を備える。
【００１３】
このファクシミリ装置Ｆにおいて、画像メモリ４は、複数の画像データを格納できるように、複数のメモリボックスで構成されており、各ボックスには、ボックス番号が割り当てられ、各ボックス番号に対応させて格納状況（使用状況）が管理されるようになっている。
また、ＲＡＭ５には、複数のプログラムキー８０，８０，・・・に登録設定される各種情報を記憶するプログラムキー情報記憶部５０を備えている。
【００１４】
なお、ここでは、プログラムキー情報記憶部５０は、ＲＡＭ５の一部を利用して構成しているが、本発明はこれには限定されず、ＲＡＭ５と独立して構成してもよい。また、プログラムキー８０，８０，・・・は、発呼ダイヤルキーやファンクションキーなどのワンタッチキーを利用して設けることができる。
次に、プログラムキー情報記憶部５０の構成について説明する。
【００１５】
図２は、プログラムキー情報記憶部５０の構成の一例を示した図である。
プログラムキー情報記憶部５０は、複数のプログラムキー８０，８０，・・・（＃１〜＃Ｎ）に対して登録設定された各種の情報を記憶できるように、複数のメモリボックスで構成されており、各々のプログラムキー８０，８０，・・・（＃１〜＃Ｎ）には、発信元情報とジョブ処理のための基本設定項目とを組み合わせて、最大で２５６件登録設定できるようにしている。
【００１６】
ここに、発信元情報としては、ＮＳＳ（非標準機能設定信号）情報５０ｄ、ＴＳＩ（送信端末識別信号）情報５０ｅ、コーラーＩＤ情報５０ｆ、ＳＵＢ（サブアドレス信号）情報５０ｇ、ＳＩＤ（パスワード信号）情報５０ｈが登録設定でき、ＮＳＳ情報５０ｄとして発信元の名称を例えば１６文字以内、ＴＳＩ情報５０ｅとして発信元のＦＡＸ番号を例えば２０桁以内、コーラーＩＤ情報５０ｆとして発信者識別番号を例えば１０桁以内、ＳＵＢ情報５０ｇとして発信元のサブアドレスを例えば２０桁以内、パスワード情報として発信元のパスワードを例えば２０桁以内で登録設定できるようにしている。
【００１７】
更に、ジョブ処理のための基本設定項目としては、それぞれ、機能設定と実行条件とを区分して登録設定できるようにしており、ジョブ処理の機能設定としては、ＰＣアップジョブ５０ａの有無（Ｙ／Ｎ）、印字ジョブ５０ｂの有無（Ｙ／Ｎ）、転送ジョブ５０ｉの有無（Ｙ／Ｎ）を登録設定できるようにしている。
ここで、ＰＣアップジョブ５０ａとは、ファクシミリ装置Ｆに接続されたパーソナルコンピュータに、外部Ｉ／Ｆ１２を介して、受信した画像データをアップロードすることを意味し、印字ジョブ５０ｂとは、受信した画像データを印字出力部１０で印字出力することを意味し、転送ジョブ５０ｉとは、受信した画像データを第３者のファクシミリ装置などに転送することを意味する。
【００１８】
一方の実行条件としては、印字ジョブ５０ｂを実行するために必要な印字部数５０ｃ、転送ジョブ５０ｉを実行するために必要な転送先ＦＡＸ番号５０ｊなどを基本設定項目に含めて登録設定できるようにしている。
なお、ＰＣアップジョブ５０ａについては、特別な実行条件はない。
また、図中では、転送先ＦＡＸ番号５０ｊとして、１箇所の転送先しか登録設定していないが、本発明はこれには限定されず、複数箇所の転送先を登録設定してもよい。更に、受信ボックスナンバー５０ｋは、画像メモリ４に受信ボックスを設けている場合に、受信した画像データを、画像メモリ４のどの受信ボックスに格納したかを示すものである。
【００１９】
加えて、上記した各種の情報は、特定のプログラムキー８０，８０，・・・を指定して、公知の方法で登録設定することができ、ガイダンスなどを表示部７で表示したり、スピーカ（不図示）で音声誘導するようにすれば、ユーザーにとって、登録設定する作業が容易にできる。
次に、ファクシミリ装置Ｆの動作について、図３〜図５を用いて説明する。
【００２０】
まず、着呼時における動作について、図３のフロー（１００〜１０９）を用いて説明する。
まず、着呼があれば（１００）、ファクシミリ装置Ｆは、プログラムキー情報記憶部５０を参照して、ＰＣアップジョブ５０ａの設定が「Ｙ」になっているものがあるかどうかを順次検索する。（１０１）
ＰＣアップジョブ５０ａの設定が「Ｙ」になっているものが１つでもあれば、ファクシミリ装置Ｆは、ＮＳＳ（非標準機能設定信号）情報５０ｄを順次検索して、受信したＮＳＳ（非標準機能設定信号）に格納されている発信元の名称と一致するものがあるかどうかを判別し（１０２）、一致しているものがあれば、メモリ受信処理（後述）を実行する。
【００２１】
一方、ステップ１０１において、ＰＣアップジョブ５０ａの設定が「Ｙ」になっているものがなければ、ファクシミリ装置Ｆは、印字ジョブ５０ｂの設定が「Ｙ」になっているものがあるかどうかを順次検索し（１０３）、印字ジョブ５０ｂの設定が「Ｙ」になっているものが１つでもあれば、ステップ１０２以降の動作を実行し、印字ジョブ５０ｂの設定が「Ｙ」になっているものがなければ、転送ジョブ５０ｉの設定が「Ｙ」になっているものがあるかどうかを順次検索する。（１０４）
ステップ１０４での検索の結果、転送ジョブ５０ｉの設定が「Ｙ」になっているものが１つでもあれば、ファクシミリ装置Ｆは、ステップ１０２以降の動作を実行する一方、転送ジョブ５０ｉの設定が「Ｙ」になっているものがなければ、ファクシミリ装置Ｆは、通常受信を実行して、続いて受信する画像データを、画像メモリ４の空いている受信ボックスに格納し、印字する。
【００２２】
また、ステップ１０２における判別の結果、受信したＮＳＳ（非標準機能設定信号）に格納されている発信元の名称と一致するものがなければ、ファクシミリ装置Ｆは、ＴＳＩ（送信端末識別信号）情報５０ｅを順次検索し、受信したＴＳＩ（送信端末識別信号）に格納されている発信元のＦＡＸ番号と一致しているものがあるかどうかを判別する。（１０５）
この判別の結果、一致しているものがあれば、ファクシミリ装置Ｆは、メモリ受信処理（後述）を実行する一方、一致しているものがなければ、コーラーＩＤ情報５０ｆを順次検索して、受信したコーラーＩＤに格納されている発信者識別番号と一致しているものがあるかどうかを判別する。（１０６）
この判別の結果、一致しているものがあれば、ファクシミリ装置Ｆは、メモリ受信処理（後述）を実行する一方、一致しているものがなければ、ＳＵＢ（サブアドレス）情報５０ｇを順次検索して、受信したＳＵＢ（サブアドレス）情報に格納されているサブアドレスと一致しているものがあるかどうかを判別する。（１０７）
この判別の結果、一致しているものがあれば、ファクシミリ装置Ｆは、パスワード情報５０ｈと受信したＳＩＤ（パスワード情報）に格納されているパスワードと一致しているものがあるかどうかを判別し（１０８）、一致しているものがあれば、ファクシミリ装置Ｆは、メモリ受信処理（後述）を実行する一方、一致しているものがなければ、通常受信を実行して、続いて受信する画像データを、画像メモリ４の空いている受信ボックスに格納し、印字する。
【００２３】
一方、ステップ１０７における判別の結果、一致しているものがなければ、ファクシミリ装置Ｆは、通常受信を実行して、続いて受信する画像データを、画像メモリ４の空いている受信ボックスに格納し、印字する。
なお、このルーチンでは、ジョブ処理に必要な基本設定項目を判別した後に、発信元情報を照合しているが、本発明はこれに限られず、発信元情報の照合を行った後に、ジョブ処理に必要な基本設定項目を判別してもよい。
【００２４】
次に、メモリ受信処理について、図４のフロー（２００〜２１６）を用いて説明する。
まず、ファクシミリ装置Ｆは、受信した画像データを、画像メモリ４の空いている受信ボックスに格納する。（２００）
このとき、ファクシミリ装置Ｆは、プログラムキー情報記憶部５０を参照し、受信した発信元情報と一致している発信元情報（ＮＳＳ情報５０ｄ、ＴＳＩ情報５０ｅ、コーラーＩＤ情報５０ｆ、ＳＵＢ情報５０ｇ、ＳＩＤ情報５０ｈ）が登録設定されているメモリボックスに受信ボックスナンバー５０ｋを登録する。
【００２５】
続いて、ファクシミリ装置Ｆは、受信ボックスナンバー５０ｋが登録されたメモリボックスを参照し、ＰＣアップジョブ５０ａの設定が「Ｙ」になっているかどうかを判別する。（２０１）
この判別の結果、ＰＣアップジョブ５０ａの設定が「Ｙ」になっておれば、ファクシミリ装置Ｆは、自装置がパーソナルコンピュータと接続されているかどうかを判別し（２０２）、接続されていなければ、チェックメッセージを表示部７によって表示、あるいは印字出力部１０によって印字出力して、ユーザーに接続を指示する。（２０３）
なお、このチェックメッセージは、少なくとも、発信元の名称、発信元のＦＡＸ番号、パーソナルコンピュータの接続を指示する旨をユーザーに通知するものであればよい。また、チェックメッセージは、スピーカ（不図示）からの音声によって、ユーザーに通知されるものであってもよい。こうすれば、ユーザーに対して、より指示を明確にできる。
【００２６】
一方、ステップ２０２において、自装置がパーソナルコンピュータと接続されておれば、画像メモリ４に格納した画像データを、外部Ｉ／Ｆ１２を介して、パーソナルコンピュータにアップロードして（２０４）、ステップ２０５以降の動作を実行する。
また、ステップ２０１における判別の結果、ＰＣアップジョブ５０ａの設定が「Ｙ」になっていなければ、ファクシミリ装置Ｆは、ステップ２０５以降の動作を実行する。
【００２７】
ステップ２０５では、印字ジョブ５０ｂの設定が「Ｙ」になっているかどうかを判別しており、この判別の結果、印字ジョブ５０ｂの設定が「Ｙ」になっておれば、ファクシミリ装置Ｆは、印字部数５０ｃの設定が「０」であるかどうかを判別し（２０６）、「０」であれば、手動プリントのフラグをセットして（２０７）、ステップ２０９以降の動作を実行する一方、印字部数５０ｃの設定が「０」でなければ、画像メモリ４に格納した画像データを、印字出力部１１によって、登録設定された部数だけ印字出力して（２０８）、ステップ２０９以降の動作を実行する。
【００２８】
また、ステップ２０５における判別の結果、印字ジョブ５０ｂが「Ｙ」になっていなければ、ファクシミリ装置Ｆは、ステップ２０９以降の動作を実行する。
ステップ２０９では、ファクシミリ装置Ｆは、続いて同じメモリボックスを参照して、転送ジョブ５０ｉの設定が「Ｙ」になっているかどうかを判別しており、転送ジョブ５０ｉの設定が「Ｙ」になっておれば、ファクシミリ装置Ｆは、転送先ＦＡＸ番号５０ｊが登録されているかどうかを判別し（２１０）、転送先ＦＡＸ番号５０ｊが登録されておれば、登録されている転送先を発呼して、画像メモリ４に格納された画像データを転送する。（２１１）
一方、ステップ２１０において、転送先ＦＡＸ番号５０ｊが登録されていなければ、ファクシミリ装置Ｆは、手動転送のフラグをセットする。（２１２）
以上の動作を繰り返して、全ジョブのチェックが終了すれば（２１３）、ファクシミリ装置Ｆは、手動プリント、あるいは手動転送のフラグがセットされているかどうかを判別し（２１４）、手動プリント、あるいは手動転送のフラグがセットされていなければ、画像メモリ４に格納した画像データをクリアした後（２１５）、プログラムキー情報記憶部５０のメモリボックスに登録した受信ボックスナンバー５０ｋをクリアして、メモリ受信処理を終了する。
【００２９】
一方、ステップ２１４において、手動プリント、あるいは手動転送のフラグがセットされていれば、チェックメッセージを表示部７によって表示、あるいは印字出力部１０によって印字出力し、ユーザーに手動プリント部数、あるいは転送先ＦＡＸ番号の入力を指示して（２１６）、手動プリント，手動転送処理（後述）を実行する。
【００３０】
なお、このチェックメッセージは、少なくとも、発信元の名称、発信元のＦＡＸ番号、受信ボックスナンバー５０ｋを登録したプログラムキー８０の番号、手動プリント部数、あるいは転送先ＦＡＸ番号の入力を指示する旨をユーザーに通知するものであればよい。
また、チェックメッセージは、スピーカ（不図示）からの音声によって、ユーザーに通知されるものであってもよい。こうすれば、ユーザーに対して、より指示を明確にできる。
【００３１】
次に、手動プリント，手動転送処理について、図５のフロー（３００〜３０９）を用いて説明する。
まず、ファクシミリ装置Ｆは、表示部７によって、例えば、「プログラムキーを押して下さい。」といったメッセージを表示して、ユーザーに対して、プログラムキーの入力を指示する。（３００）
そこで、ユーザーが、ステップ２１６（図２）において表示あるいは印字出力された番号のプログラムキー８０を操作すれば（３０１）、ファクシミリ装置Ｆは、手動プリントのフラグがセットされているかどうかを判別し（３０２）、手動プリントのフラグがセットされていれば、例えば、「手動プリント部数を入力して下さい。」といったメッセージを表示して、ユーザーに対して、手動プリント部数の入力を指示する。（３０３）
ユーザーが、手動プリント部数を入力すれば（３０４）、ファクシミリ装置Ｆは、画像メモリ４に格納した画像データを、印字出力部１０によって印字出力した後（３０５）、手動プリントのフラグをクリアして（３０６）、ステップ３０７以降の動作を実行する。
【００３２】
一方、ステップ３０２において、手動プリントのフラグがセットされていなければ、ファクシミリ装置Ｆは、ステップ３０７以降の動作を実行する。
ステップ３０７では、ファクシミリ装置Ｆは、手動転送のフラグがセットされているかどうかを判別しており、手動転送のフラグがセットされていれば、例えば、「転送先ＦＡＸ番号を入力して下さい。」といったメッセージを表示して、ユーザーに対して、転送先ＦＡＸ番号の入力を指示する。（３０８）
ユーザーが、転送先ＦＡＸ番号を入力すれば（３０９）、ファクシミリ装置Ｆは、入力された転送先を発呼して、画像メモリ４に格納した画像データを転送した後（３１０）、手動転送のフラグをクリアする。（３１１）
ファクシミリ装置Ｆは、上述した動作を実行すれば、画像メモリ４に格納された画像データをクリアして（３１２）、手動プリント，手動転送処理を終了する。
【００３３】
なお、ステップ３１２において、画像データのクリアを行った後は、プログラムキー情報記憶部５０のメモリボックスに登録された受信ボックスナンバー５０ｉもクリアされる。
【００３４】
【発明の効果】
以上の説明から理解できるように、請求項１に記載のファクシミリ装置では、ファクシミリ受信した画像データに対する印字、転送などの特定のジョブ処理に必要な基本設定項目を、マクロキー機能として、予めプログラムキーに登録設定するようにしているので、特定の発信元からファクシミリ受信したときに、予めプログラムキーに登録設定されている各種ジョブ処理を実行でき、発信元情報を有効に利用することができる。
【００３５】
また、プログラムキーには、発信元情報に対して実行すべき印字、転送などのジョブ処理を、少なくとも、機能設定、実行条件とに分けて登録できるようにし、ファクシミリ受信を受けたときに、印字または転送処理の機能のみが設定されているときには、手動印字部数または転送先番号の入力を要求するチェックメッセージを出力するようにしているので、ユーザが、このチェックメッセージを参照して、手動印字部数または転送先番号の入力をすればジョブ処理が実行され、融通性がよく、実際の使用にあたっての使い勝手がよい。
【００３６】
請求項２に記載のファクシミリ装置では、プログラムキーには、発信元情報に対応させて、サブアドレスとパスワードとを少なくとも登録設定できるようにしているので、サブアドレスとパスワードさえ登録設定しておけば、受信した、サブアドレスとパスワードが一致すれば、予めプログラムキーに登録設定されているジョブ処理が実行される。
【図面の簡単な説明】
【図１】本発明のファクシミリ装置の一例を示すブロック図である。
【図２】プログラムキー情報記憶部の構成の一例を示した図である。
【図３】ファクシミリ装置の基本動作について説明するための図である。（着呼時）
【図４】ファクシミリ装置の基本動作について説明するための図である。（メモリ受信処理時）
【図５】ファクシミリ装置の基本動作について説明するための図である。（手動プリント，手動転送処理時）
【符号の説明】
Ｆ・・・ファクシミリ装置
５０・・・プログラムキー情報記憶部
５０ａ・・・ＰＣアップジョブ
５０ｂ・・・印字ジョブ
５０ｃ・・・印字部数
５０ｄ・・・ＮＳＳ情報（発信元の名称）
５０ｅ・・・ＴＳＩ情報（発信元のＦＡＸ番号）
５０ｆ・・・コーラーＩＤ情報（発信者識別番号）
５０ｇ・・・サブアドレス情報（発信元のサブアドレス）
５０ｈ・・・パスワード情報（発信元のパスワード）
５０ｉ・・・転送ジョブ
５０ｊ・・・転送先ＦＡＸ番号
８０・・・プログラムキー
【図１】
0003757614.tif 000002
【図２】
0003757614.tif 000003
【図３】
0003757614.tif 000004
【図４】
0003757614.tif 000005
【図５】
0003757614.tif 000006